(57)【特許請求の範囲】
【請求項１】
紙幣の状態を鑑別する鑑別部と、
出金取引時に前記鑑別部で正常と鑑別された正常紙幣を集積し、当該正常紙幣を外部へ出金する出金部と、
出金取引時に前記鑑別部で異常と鑑別された異常紙幣を、前記正常紙幣とは分別して収納する一時保留部と、
前記紙幣を収納する収納庫と、
前記出金部に設けられ前記紙幣を集積する空間を外部に対し遮断又は開放するシャッタと、
前記一時保留部に収納された前記異常紙幣のうち最後の前記異常紙幣が前記収納庫に収納されるよりも前に、前記シャッタを開き前記出金部から前記紙幣を出金させる制御部と
を有する紙幣取引装置。
【請求項２】
前記制御部は、前記一時保留部に収納された前記異常紙幣のうち最後の前記異常紙幣が前記一時保留部から繰り出されるよりも前に、前記出金部から前記紙幣を出金させる
請求項１に記載の紙幣取引装置。
【請求項３】
前記制御部は、前記出金部から前記紙幣を出金させた後に、前記一時保留部に収納された前記異常紙幣を前記収納庫に向けて繰り出す
請求項２に記載の紙幣取引装置。
【請求項４】
前記制御部は、前記シャッタを開いた後に、前記一時保留部に収納された前記異常紙幣を前記収納庫に向けて繰り出す
請求項３に記載の紙幣取引装置。
【請求項５】
前記制御部は、前記一時保留部から前記収納庫へ前記異常紙幣が搬送される間に発生したジャムの復旧動作を行うよりも前に、前記出金部から前記紙幣を出金させる
請求項４に記載の紙幣取引装置。
【請求項６】
前記鑑別部は、出金取引時において前記紙幣の記番号を読み取り、所定の記憶部に記憶する
請求項１に記載の紙幣取引装置。
【請求項７】
前記鑑別部は、出金取引時に前記収納庫から搬送された前記紙幣の記番号を読み取り記憶する
請求項６に記載の紙幣取引装置。
【請求項８】
前記鑑別部は、出金取引時に前記一時保留部から前記収納庫へ向けて搬送される前記異常紙幣の記番号を読み取り記憶する
請求項６に記載の紙幣取引装置。
【請求項９】
前記鑑別部は、出金取引時に顧客が前記出金部から取り忘れ当該出金部から取忘れ庫へ向けて搬送される取忘紙幣の記番号を読み取り記憶する
請求項６に記載の紙幣取引装置。
【発明の詳細な説明】
【技術分野】
【０００１】
本発明は紙幣取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う紙幣入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納するリサイクル庫とを有するものがある。
【０００３】
このような現金自動取引装置には、入金取引時において、再利用可能であると鑑別部で鑑別された紙幣はリサイクル庫へ搬送し収納する一方、再利用不可能であると鑑別された紙幣はリジェクト庫へ搬送して収納し、出金取引時において、出金可能であると鑑別された出金可能紙幣は紙幣入出金部へ搬送し出金する一方、異常であると鑑別された出金不可紙幣は一時保留部へ搬送した後にリサイクル庫又はリジェクト庫へ搬送して収納するものがある（例えば、特許文献１参照）。
【先行技術文献】
【特許文献】
【０００４】
【特許文献１】特開２０１４−４９０４０号公報
【発明の概要】
【発明が解決しようとする課題】
【０００５】
そのような現金自動取引装置は、一時保留部から出金不可紙幣をリサイクル庫又はリジェクト庫へ搬送し収納した後に、紙幣入出金部のシャッタを開けて顧客へ出金可能紙幣を出金していたため、出金可能紙幣を顧客に受け渡すまでに多くの時間を要してしまい、機能性を保てない可能性があった。
【０００６】
本発明は以上の点を考慮してなされたもので、機能性を高め得る紙幣取引装置を提案しようとするものである。
【課題を解決するための手段】
【０００７】
かかる課題を解決するため本発明の紙幣取引装置においては、紙幣の状態を鑑別する鑑別部と、出金取引時に鑑別部で正常と鑑別された正常紙幣を集積し、当該正常紙幣を外部へ出金する出金部と、出金取引時に鑑別部で異常と鑑別された異常紙幣を、正常紙幣とは分別して収納する一時保留部と、紙幣を収納する収納庫と、出金部に設けられ紙幣を集積する空間を外部に対し遮断又は開放するシャッタと、一時保留部に収納された異常紙幣のうち最後の異常紙幣が収納庫に収納されるよりも前に、シャッタを開き出金部から紙幣を出金させる制御部とを設けるようにした。
【０００８】
この紙幣取引装置は、一時保留部に収納された異常紙幣のうち最後の異常紙幣が収納庫へ収納されるまで待つことなく、顧客へ正常紙幣を出金できる。
【発明の効果】
【０００９】
本発明によれば、一時保留部に収納された異常紙幣のうち最後の異常紙幣が収納庫へ収納されるまで待つことなく、顧客へ正常紙幣を出金できる。かくして本発明は、機能性を高め得る紙幣取引装置を実現できる。
【図面の簡単な説明】
【００１０】
【図１】現金自動取引装置の構成を示す斜視図である。
【図２】紙幣入出金機の構成を示す左側面図である。
【図３】紙幣の構成を示す略線図である。
【図４】出金処理手順を示すフローチャートである。
【図５】出金処理における紙幣の経路を示す略線図である。
【図６】リジェクト紙幣収納処理手順を示すフローチャートである。
【図７】リジェクト紙幣収納処理における紙幣の経路を示す略線図である。
【図８】リジェクト紙幣収納時のジャムの発生を示す略線図である。
【図９】取忘紙幣取込処理手順を示すフローチャートである。
【図１０】取忘紙幣取込処理における紙幣の経路を示す略線図である。
【図１１】取忘紙幣取込処理時のジャムの発生を示す略線図である。
【図１２】取忘紙幣取込処理時ジャム発生表示画面を示す略線図である。
【発明を実施するための形態】
【００１１】
以下、発明を実施するための形態（以下実施の形態とする）について、図面を用いて説明する。
【００１２】
［１．実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に接客部３が設けられている。
【００１３】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。また入出金口５は、シャッタを駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１４】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部３０から所定のプログラムを読み出して実行することにより、各部を制御して入金取引や出金取引等の種々の処理を行う。
【００１５】
以下では、現金自動取引装置１のうち顧客が対峙する側を前側とし、その反対を後側とし、当該前側に対峙した顧客から見て左及び右をそれぞれ左側及び右側とし、さらに上側及び下側を定義して説明する。
【００１６】
［１−２．紙幣入出金機の内部構成］
紙幣入出金機１０は、図２に示すように、制御部１２が各部（紙幣入出金部１６、搬送部２４、鑑別部１８、一時保留部２０、リサイクル庫２６、リジェクト庫２８及び取忘れ庫２２）を統括制御する。
【００１７】
制御部１２は、図示しないＣＰＵを中心に構成されており、ＲＯＭ、ＲＡＭ、ハードディスクドライブやフラッシュメモリ等でなる記憶部１４（図１）から所定のプログラムを読み出して実行することにより、各部を制御して入金取引や出金取引等の種々の処理を行う。記憶部１４は、鑑別部１８が紙幣を鑑別した鑑別結果及び紙幣の記番号の識別結果等を取引情報と合わせて記憶する。
【００１８】
紙幣入出金機１０の内部には、上側に紙幣入出金部１６、紙幣の金種や真偽を判定する鑑別部１８及び入金紙幣等を一時的に保留する一時保留部２０等が設けられている。
【００１９】
紙幣入出金部１６は、紙幣を集積する空間がシャッタ１１により外部に対し遮断又は開放され、顧客から投入された紙幣を１枚ずつ分離し搬送部２４へ繰り出す。また紙幣入出金部１６は、搬送部２４へ繰り出す紙幣と、入金不可紙幣として紙幣入出金部１６へ戻された紙幣とを分別して保持する。また紙幣入出金部１６は、当該紙幣入出金部１６内部において、搬送部２４へ繰り出す紙幣が存在するか否かを検出する図示しない紙幣検知センサが設けられている。
【００２０】
搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と一時保留部２０及び紙幣入出金部１６とをそれぞれ接続している。また搬送部２４は、鑑別部１８の前側と紙幣入出金部１６、リサイクル庫２６、リジェクト庫２８及び取忘れ庫２２とを接続している。搬送部２４の分岐点には、セレクタ（図示せず）が設けられており、制御部１２の制御に基づき回動することにより、紙幣の搬送先を切り替える。また搬送部２４には、搬送される紙幣を検出する搬送検出センサが、複数箇所に設けられている。
【００２１】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。また鑑別部１８は、撮像した紙幣の画像データから、図３に示すように紙幣ＢＬ毎に付与されその紙幣の一面に予め印刷された英数字等で構成された紙幣識別情報である記番号ＩＤを読み取り識別する。このとき鑑別部１８は、識別した字を識別結果として制御部１２へ通知する。これに応じて制御部１２は、取得した鑑別結果及び識別結果に基づいて紙幣の搬送先を決定する。
【００２２】
図３に示すように、紙幣ＢＬには、例えば左下に記番号ＩＤが付されている。記番号は、例えばアルファベット等の英語の文字と、０〜９の数字とにより構成されている。この記番号は、紙幣が現金自動取引装置１内部でジャムした場合や、顧客が取り忘れた紙幣を現金自動取引装置１が取り込んだ場合等、紙幣の特定が必要な際に、保存された記番号識別結果から紙幣を特定し、顧客へ証拠情報として提示する際に用いられる。また記番号は、現金自動取引装置１において偽造券が発見された場合、偽造券の記番号と、保存された記番号識別結果及び取引情報を照合し、現金自動取引装置１へ入金された経緯を特定したり、顧客が入金した紙幣の場合、顧客へ証拠情報として提示したりする際に用いられる。さらに記番号は、大量に流通している偽造券があり、それらの偽造券の記番号が特定されている場合、予めそれらの記番号を鑑別部１８に登録し、ある一定数以上の字数が一致した紙幣が入金された場合にその紙幣を偽造券として検出する際にも用いられる。
【００２３】
一時保留部２０は、入金時に顧客が紙幣入出金部１６へ投入した紙幣を一時的に保留し、鑑別部１８で入金可能と鑑別された入金可能紙幣を入金が確定するまで一時的に保留する一方、入金不可と鑑別された入金不可紙幣を紙幣入出金部１６へ排出する。また一時保留部２０は、出金時において鑑別部１８で出金不可能と鑑別された出金不可紙幣を、出金可能な紙幣が出金されるまで一時的に保留し、その後当該出金不可紙幣をリサイクル庫２６又はリジェクト庫２８へ排出する。
【００２４】
また紙幣入出金機１０の内部には、下側に金種別のリサイクル庫２６と、鑑別部１８において破損した紙幣（いわゆる損券）と鑑別された紙幣、偽造券と判別された紙幣及び５千券や２千券等の還流されない金種の紙幣を格納するリジェクト庫２８と、取引時に顧客が紙幣入出金部１６から取り忘れた紙幣を回収して格納する取忘れ庫２２とが設けられている。リサイクル庫２６は、収納排出機構により、搬送部２４から搬送されてきた紙幣を取り込んで収納すると共に、収納されている紙幣を排出して搬送部２４へ供給する。
【００２５】
かかる構成において現金自動取引装置１は、鑑別部１８による紙幣の鑑別結果及び識別結果等をもとに主制御部９及び制御部１２が各部を制御して、紙幣の入金処理及び出金処理等を行う。すなわち現金自動取引装置１は、入金取引時、顧客により操作表示部６を介して入金取引が選択され、さらに入出金口５に紙幣が投入されると、投入された紙幣を紙幣入出金部１６から１枚ずつ鑑別部１８に搬送する。ここで現金自動取引装置１は、鑑別部１８の鑑別結果及び識別結果に基づき入金可能と判定された紙幣については一時保留部２０に搬送して一時的に収納する。一方で現金自動取引装置１は、入金に適さないと判定された紙幣については紙幣入出金部１６へ戻して、シャッタ１１を開くことで顧客に返却する。その後顧客により入金金額が確定されると、現金自動取引装置１は、一時保留部２０に収納している紙幣を鑑別部１８に搬送して鑑別結果及び記番号の識別結果を得る。ここで現金自動取引装置１は、鑑別部１８の鑑別結果及び識別結果に基づき収納可能と判定された紙幣については、その金種に応じて各リサイクル庫２６へ搬送して保管する。一方で現金自動取引装置１は、収納に適さないと判定された紙幣については、リジェクト庫２８へ搬送する。
【００２６】
［１−３．出金処理］
次に、現金自動取引装置１による出金処理の具体的な処理手順について、図４に示すフローチャートを用いて詳細に説明する。紙幣入出金機１０の制御部１２は、顧客が出金取引を行う場合、記憶部１４から出金処理プログラムを読み出して実行することにより図４に示す出金処理手順ＲＴ１を開始し、ステップＳＰ１へ移る。ステップＳＰ１において制御部１２は、顧客により操作表示部６を介して出金取引が選択され出金金額が入力されると、要求金額に応じて必要な金種毎の紙幣枚数を認識し、出金枚数のカウントを開始し、ステップＳＰ２へ移る。
【００２７】
ステップＳＰ２において制御部１２は、要求金額に応じた金種毎の紙幣枚数に応じて各リサイクル庫２６から紙幣を繰り出して鑑別部１８へ搬送することにより鑑別させて鑑別結果を取得し、ステップＳＰ３へ移る。ステップＳＰ３において制御部１２は、鑑別部１８において紙幣の記番号を識別させて識別結果を取得し、ステップＳＰ４へ移る。
【００２８】
ステップＳＰ４において制御部１２は、鑑別結果が正常であるか否かを判定する。ここで肯定結果が得られると、このことは鑑別結果が正常であったため紙幣が出金可能紙幣であることを表し、このとき制御部１２はステップＳＰ５へ移る。ステップＳＰ５において制御部１２は、出金枚数のカウントを１だけ増加させ、ステップＳＰ６へ移る。ステップＳＰ６において制御部１２は、図５に示すようにセレクタ（図示せず）をルートＲ１へ切り替え、紙幣を鑑別部１８から紙幣入出金部１６へ搬送してステップＳＰ９へ移る。
【００２９】
一方ステップＳＰ４において否定結果が得られると、このことは紙幣が出金不可紙幣であることを表し、このとき制御部１２はステップＳＰ７へ移る。ステップＳＰ７において制御部１２は、出金枚数のカウントを０だけ増加させ（すなわち増加させない）、ステップＳＰ８へ移る。ステップＳＰ８において制御部１２は、図５に示すようにセレクタ（図示せず）をルートＲ２へ切り替え、紙幣を鑑別部１８から一時保留部２０へ搬送してステップＳＰ９へ移る。
【００３０】
ステップＳＰ９において制御部１２は、要求金額に応じた紙幣の枚数に出金枚数のカウントが達したか否かを判定する。ここで否定結果が得られると、このことは要求金額に応じた紙幣の枚数分の紙幣を未だ紙幣入出金部１６へ集積させていないことを表し、このとき制御部１２はステップＳＰ２へ戻り、リサイクル庫２６から次の紙幣を鑑別部１８へ繰り出す。一方ステップＳＰ９において肯定結果が得られると、このことは要求金額に応じた紙幣の枚数分の紙幣を紙幣入出金部１６へ集積させたことを表し、このとき制御部１２はステップＳＰ１０へ移る。
【００３１】
ステップＳＰ１０において制御部１２は、紙幣入出金部１６へ搬送した紙幣と一時保留部２０へ搬送した紙幣との記番号の識別結果を記憶部１４に記憶し、ステップＳＰ１１へ移る。ステップＳＰ１１において制御部１２は、シャッタ１１を開け、紙幣入出金部１６内に集積されている紙幣を顧客に受け渡すことにより出金し、ステップＳＰ１２へ移る。
【００３２】
ステップＳＰ１２において制御部１２は、紙幣検知センサにより紙幣入出金部１６内に顧客が取り忘れた取忘紙幣が存在するか否かを判定する。ここで否定結果が得られると、このことは出金すべき紙幣を顧客が紙幣入出金部１６から全て取り出したことを表し、このとき制御部１２はステップＳＰ１３へ移り、出金処理手順ＲＴ１を終了して次のリジェクト紙幣収納処理手順ＲＴ２（図６）へ移る。一方ステップＳＰ１２において肯定結果が得られると、このことは取忘紙幣が紙幣入出金部１６に存在していることを表し、このとき制御部１２はステップＳＰ１４へ移り、出金処理手順ＲＴ１を終了して次の取忘紙幣取込処理手順ＲＴ３（図９）へ移る。
【００３３】
このように紙幣入出金機１０は、シャッタ１１を開けて顧客へ出金可能紙幣を出金した後に、後述するリジェクト紙幣収納処理及び取忘紙幣取込処理を行うことにより出金不可紙幣を一時保留部２０からリサイクル庫２６又はリジェクト庫２８へ搬送し収納すると共に、取忘紙幣を紙幣入出金部１６から取忘れ庫２２へ搬送し収納する。
【００３４】
［１−４．リジェクト紙幣収納処理］
次に、現金自動取引装置１によるリジェクト紙幣収納処理の具体的な処理手順について、図６に示すフローチャートを用いて詳細に説明する。紙幣入出金機１０の制御部１２は、上述した出金処理の後にリジェクト紙幣収納処理を行う際、記憶部１４からリジェクト紙幣収納処理プログラムを読み出して実行することにより図６に示すリジェクト紙幣収納処理手順ＲＴ２を開始し、ステップＳＰ２１へ移る。ステップＳＰ２１において制御部１２は、出金処理において一時保留部２０に保持した紙幣を鑑別部１８へ搬送することにより鑑別させて鑑別結果を取得し、ステップＳＰ２２へ移る。
【００３５】
ステップＳＰ２２において制御部１２は、鑑別部１８において紙幣の記番号を識別させて識別結果を取得し、ステップＳＰ２３へ移る。ステップＳＰ２３において制御部１２は、鑑別結果が正常であるか否かを判定する。ここで肯定結果が得られると、このことは鑑別結果が正常であったため紙幣がリサイクル可能紙幣であることを表し、このとき制御部１２はステップＳＰ２４へ移る。ステップＳＰ２４において制御部１２は、図７に示すようにセレクタ（図示せず）をルートＲ３へ切り替え、紙幣を鑑別部１８から各リサイクル庫２６へ搬送してステップＳＰ２６へ移る。一方ステップＳＰ２３において否定結果が得られると、このことは紙幣がリサイクル不可紙幣であることを表し、このとき制御部１２はステップＳＰ２５へ移る。ステップＳＰ２５において制御部１２は、図７に示すようにセレクタ（図示せず）をルートＲ４へ切り替え、紙幣を鑑別部１８からリジェクト庫２８へ搬送してステップＳＰ２６へ移る。
【００３６】
ステップＳＰ２６において制御部１２は、紙幣をリサイクル庫２６又はリジェクト庫２８へ搬送できなかったか否か、すなわちジャムが発生したか否かを判定する。ここで否定結果が得られると、このことはジャムが発生していないことを表し、このとき制御部１２はステップＳＰ２７へ移る。ステップＳＰ２７において制御部１２は、リサイクル庫２６へ搬送した紙幣とリジェクト庫２８へ搬送した紙幣との記番号の識別結果を記憶部１４に記憶し、ステップＳＰ２８へ移る。ステップＳＰ２８において制御部１２は、出金時において一時保留部２０へ搬送した枚数の分だけ一時保留部２０内から出金不可紙幣を繰り出していないか、すなわち一時保留部２０内に出金不可紙幣が存在するか否かを判定する。ここで肯定結果が得られると、このことは出金不可紙幣が未だ一時保留部２０に残留していることを表し、このとき制御部１２はステップＳＰ２１へ戻り、一時保留部２０から次の出金不可紙幣を搬送部２４へ繰り出す。一方ステップＳＰ２８において否定結果が得られると、このことは全ての出金不可紙幣を紙幣入出金部１６から搬送部２４へ繰り出したことを表し、このとき制御部１２はステップＳＰ３２へ移り、リジェクト紙幣収納処理手順ＲＴ２を終了する。
【００３７】
一方ステップＳＰ２６において肯定結果が得られると、このことは一時保留部２０からリサイクル庫２６又はリジェクト庫２８までの間において図８に示すようにジャムＪＭ１が発生したことを表し、このとき制御部１２はステップＳＰ２９へ移る。ステップＳＰ２９において制御部１２は、搬送部２４上の全ての紙幣を一時保留部２０へ一旦戻した後に再びリサイクル庫２６又はリジェクト庫２８へ搬送することにより復旧動作を行い、ステップＳＰ３０へ移る。
【００３８】
ステップＳＰ３０において制御部１２は、復旧動作が成功したか、すなわち搬送部２４の複数箇所に設けられた搬送検出センサを所定時間内に紙幣が通過し、リサイクル庫２６又はリジェクト庫２８へ正常に搬送されたか否かを判定する。ここで肯定結果が得られると、このことは復旧動作に成功したことを表し、このとき制御部１２はステップＳＰ２７へ移り、上述した処理を行う。一方ステップＳＰ３０において否定結果が得られると、このことは復旧動作に失敗したことを表し、このとき制御部１２はステップＳＰ３１へ移り、所定のエラー処理を行い、ステップＳＰ３２へ移り、リジェクト紙幣収納処理手順ＲＴ２を終了する。
【００３９】
［１−５．取忘紙幣取込処理］
次に、現金自動取引装置１による取忘紙幣取込処理の具体的な処理手順について、図９のフローチャートを用いて詳細に説明する。紙幣入出金機１０の制御部１２は、上述した出金処理の後に取忘紙幣取込処理を行う際、記憶部１４から取忘紙幣取込プログラムを読み出して実行することにより図９に示す取忘紙幣取込処理手順ＲＴ３を開始し、ステップＳＰ４１へ移る。ステップＳＰ４１において制御部１２は、顧客が紙幣入出金部１６から取り忘れた取忘紙幣を紙幣入出金部１６の紙幣検知センサにより検出すると、取忘紙幣を紙幣入出金部１６から１枚ずつ鑑別部１８に搬送し、ステップＳＰ４２に移る。
【００４０】
ステップＳＰ４２において制御部１２は、紙幣を鑑別部１８へ搬送できなかったか否か、すなわちジャムが発生したか否かを判定する。ここで否定結果が得られると、このことはジャムが発生していないことを表し、このとき制御部１２はステップＳＰ４３へ移る。ステップＳＰ４３において制御部１２は、鑑別部１８により紙幣を鑑別させて鑑別結果を取得し、ステップＳＰ４４へ移る。ステップＳＰ４４において制御部１２は、鑑別部１８において紙幣の記番号を識別させて識別結果を取得し、ステップＳＰ４５へ移る。ステップＳＰ４５において制御部１２は、図１０に示すようにセレクタ（図示せず）をルートＲ５へ切り替え、紙幣を鑑別部１８から一時保留部２０へ搬送してステップＳＰ４６へ移る。ステップＳＰ４６において制御部１２は、図１０に示すようにセレクタ（図示せず）をルートＲ６へ切り替え、紙幣を一時保留部２０から取忘れ庫２２へ搬送してステップＳＰ４７へ移る。因みに、一時保留部２０から取忘れ庫２２へ搬送する間にジャムが発生した場合、制御部１２は、上述したリジェクト紙幣収納処理において一時保留部２０からリサイクル庫２６又はリジェクト庫２８へ紙幣を搬送する間にジャムが発生した場合とほぼ同様の処理を行う。
【００４１】
ステップＳＰ４７において制御部１２は、取得した紙幣の記番号の識別結果を記憶部１４に記憶し、ステップＳＰ４８へ移る。ステップＳＰ４８において制御部１２は、紙幣検知センサにより紙幣入出金部１６内に取忘紙幣が存在するか否かを判定する。ここで肯定結果が得られると、取忘紙幣が未だ紙幣入出金部１６に残留していることを表し、このとき制御部１２はステップＳＰ４１へ戻り、紙幣入出金部１６から次の取忘紙幣を搬送部２４へ繰り出す。一方ステップＳＰ４８において否定結果が得られると、このことは全ての取忘紙幣を紙幣入出金部１６から搬送部２４へ繰り出したことを表し、このとき制御部１２はステップＳＰ５３へ移り、取忘紙幣取込処理手順ＲＴ３を終了する。
【００４２】
一方ステップＳＰ４２において肯定結果が得られると、このことは紙幣入出金部１６から鑑別部１８までの間において図１１に示すようにジャムＪＭ２が発生したことを表し、このとき制御部１２はステップＳＰ４９へ移る。ステップＳＰ４９において制御部１２は、搬送部２４上の全ての紙幣と一時保留部２０に収納された全ての紙幣とを紙幣入出金部１６へ一旦戻した後に再び鑑別部１８へ搬送することにより復旧動作を行い、ステップＳＰ５０へ移る。
【００４３】
ステップＳＰ５０において制御部１２は、復旧動作が成功したか、すなわち紙幣が鑑別部１８へ正常に搬送されたか否かを判定する。ここで肯定結果が得られると、このことは復旧動作に成功したことを表し、このとき制御部１２はステップＳＰ４３へ移り、上述した処理を行う。一方ステップＳＰ５０において否定結果が得られると、このことは復旧動作に失敗したことを表し、このとき制御部１２はステップＳＰ５１へ移り、図１２に示す取忘紙幣取込処理時ジャム発生表示画面ＤＩＰを操作表示部６に表示させ、ステップＳＰ５２へ移る。この取忘紙幣取込処理時ジャム発生表示画面ＤＩＰは、エラー（すなわちジャムが発生し且つ復旧動作に失敗）が発生し、取忘紙幣であったため、取忘紙幣の記番号と、当該取忘紙幣の枚数とを確認するよう顧客に促している。また取忘紙幣取込処理時ジャム発生表示画面ＤＩＰは、取忘紙幣取込処理を開始してから、ジャムが発生して復旧動作が失敗するまでの間にステップＳＰ４５において記憶した取忘紙幣の記番号と、当該取忘紙幣の枚数とを表示する。
【００４４】
ステップＳＰ５２において制御部１２は、所定のエラー処理を行い、ステップＳＰ５３へ移り、リジェクト紙幣収納処理手順ＲＴ２を終了する。
【００４５】
［１−６．効果］
従来の現金自動取引装置は、一時保留部２０から出金不可紙幣をリサイクル庫２６又はリジェクト庫２８へ搬送し収納した後に、シャッタ１１を開けて顧客へ出金可能紙幣を出金していたため、出金可能紙幣を紙幣入出金部１６に集積させた後に、一時保留部２０から出金不可紙幣をリサイクル庫２６又はリジェクト庫２８へ搬送し収納するまでの時間だけ顧客を待たせることとなり、出金可能紙幣を顧客に受け渡すまでに多くの時間を要してしまっていた。また従来、取引時間が長くなると、ホストの監視時間を超えてしまい、出金取引が成立しなくなる可能性があった。
【００４６】
これに対し現金自動取引装置１は、シャッタ１１を開けて顧客へ出金可能紙幣を出金した後に、出金不可紙幣を一時保留部２０からリサイクル庫２６又はリジェクト庫２８へ搬送し収納するようにした。これにより現金自動取引装置１は、出金可能紙幣を紙幣入出金部１６に集積させると、一時保留部２０から出金不可紙幣をリサイクル庫２６又はリジェクト庫２８へ搬送し収納するまでの時間だけ顧客を待たせることなく、直ちにシャッタ１１を開いて出金可能紙幣を顧客に受け渡すことができ、顧客へ紙幣を受け渡すまでの時間を短縮できる。また現金自動取引装置１は、取引時間を短縮できるため、出金取引をホストの監視時間内に抑えることができ、出金取引が成立しない可能性を低下させることができる。
【００４７】
特に、従来の現金自動取引装置においては、出金不可紙幣を一時保留部２０からリサイクル庫２６又はリジェクト庫２８へ搬送する際にジャムが発生してしまうと、復旧動作を行う時間を要してしまうため、紙幣を出金するまでさらに時間がかかり、顧客をさらに待たせてしまうこととなってしまう。
【００４８】
これに対し現金自動取引装置１は、リジェクト紙幣収納処理を行う前に、顧客へ出金可能紙幣を出金するようにしたため、リジェクト紙幣収納処理時に発生したジャムの復旧動作で顧客を待たせてしまう状況をなくすことができる。
【００４９】
ところで従来の現金自動取引装置は、出金取引時において、出金不可紙幣はシャッタ１１を開ける前に一時保留部２０からリサイクル庫２６又はリジェクト庫２８へ搬送して収納することにより、紙幣入出金機１０の内部の上側にはこれから顧客の紙幣となる紙幣しか存在しない状態とし、紙幣入出金機１０の内部の下側には銀行側の紙幣しかない状態としてから出金していたため、顧客側の紙幣と銀行側の紙幣との切り分けが明確であり、厳格に分別して管理していた。
【００５０】
これに対し現金自動取引装置１は、紙幣入出金機１０の内部の上側である一時保留部２０に銀行側の紙幣である出金不可紙幣が収納されたままの状態で出金するため、紙幣入出金機１０の内部の上側には、銀行側の紙幣と顧客側の紙幣とが混在することとなる。このため、銀行側の紙幣を収納するリジェクト紙幣収納処理を行う際にジャムが発生した場合や、顧客側の紙幣を取り込む取忘紙幣取込処理時にジャムが発生した場合等に、銀行側の紙幣と顧客側の紙幣とを厳格に分別して管理しにくい可能性がある。
【００５１】
このため現金自動取引装置１は、出金処理時に鑑別部１８で紙幣の記番号を取得すると共に、リジェクト紙幣収納処理時と取忘紙幣取込処理時においても紙幣の記番号を取得し記憶するようにした。これにより現金自動取引装置１は、ジャムが発生した場合、記憶した紙幣の記番号と、ジャムが発生した紙幣の記番号とを行員に照合させることにより、当該紙幣が銀行側の紙幣であるか顧客側の紙幣であるかを特定させることができる。
【００５２】
以上の構成によれば現金自動取引装置１は、紙幣の状態を鑑別する鑑別部１８と、出金取引時に鑑別部１８で正常と鑑別された正常紙幣としての出金可能紙幣を集積し、当該出金可能紙幣を外部へ出金する紙幣入出金部１６と、出金取引時に鑑別部１８で異常と鑑別された異常紙幣としての出金不可紙幣を、出金可能紙幣とは分別して収納する一時保留部２０と、一時保留部２０から搬送された紙幣を収納するリサイクル庫２６及びリジェクト庫２８と、一時保留部２０に収納された出金不可紙幣のうち最後の出金不可紙幣がリサイクル庫２６又はリジェクト庫２８に収納されるよりも前に、紙幣入出金部１６から紙幣を出金させる制御部１２とを設けるようにした。これにより現金自動取引装置１は、一時保留部２０に収納された出金不可紙幣のうち最後の出金不可紙幣がリサイクル庫２６又はリジェクト庫２８へ収納されるまで待つことなく、顧客へ出金可能紙幣を出金できる。
【００５３】
［２．他の実施の形態］
なお上述した実施の形態においては、シャッタ１１を開けて顧客へ出金可能紙幣を出金した後に、リジェクト紙幣収納処理を行うことにより出金不可紙幣を一時保留部２０からリサイクル庫２６又はリジェクト庫２８へ搬送し収納するようにした。本発明はこれに限らず、一時保留部２０に収納された出金不可紙幣をリサイクル庫２６又はリジェクト庫２８へ向けて繰り出している最中であって、一時保留部２０に収納された出金不可紙幣のうち最後の出金不可紙幣が一時保留部２０から繰り出されるよりも前に、シャッタ１１を開けて顧客へ出金可能紙幣を出金しても良い。要は、一時保留部２０に収納された出金不可紙幣のうち最後の出金不可紙幣がリサイクル庫２６又はリジェクト庫２８に収納されるよりも前に、シャッタ１１を開けて顧客へ出金可能紙幣を出金すれば良い。
【００５４】
また上述した実施の形態においては、取忘紙幣取込処理においてジャムが発生した際、搬送部２４上の全ての紙幣と一時保留部２０に収納された全ての紙幣とを紙幣入出金部１６へ一旦戻した後に再び鑑別部１８へ搬送する場合について述べた。本発明はこれに限らず、一時保留部２０に収納されている紙幣の計数が確定している場合、搬送部２４上の全ての紙幣のみを紙幣入出金部１６へ戻すようにしても良い。
【００５５】
さらに上述した実施の形態においては、記憶部１４に予め記憶させておいた出金処理プログラム、リジェクト紙幣収納処理プログラム及び取忘紙幣取込プログラムを読み出して実行する場合について述べた。本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から出金処理プログラム、リジェクト紙幣収納処理プログラム及び取忘紙幣取込プログラムを取得して実行しても良い。
【００５６】
さらに上述した実施の形態においては、現金を取引する現金自動取引装置１において、媒体としての紙幣の記番号を読み取る場合に本発明を適用する場合について述べた。本発明はこれに限らず、例えば商品券や金券、入場券等のような薄い紙状の媒体に付された固有な識別字を読み取る種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００５７】
さらに上述した実施の形態においては、鑑別部としての鑑別部１８と、出金部としての紙幣入出金部１６と、一時保留部としての一時保留部２０と、収納庫としてのリサイクル庫２６及びリジェクト庫２８と、制御部としての制御部１２とによって、紙幣取引装置としての現金自動取引装置１を構成する場合について述べた。本発明はこれに限らず、その他種々の構成でなる鑑別部と、出金部と、一時保留部と、収納庫と、制御部とによって、紙幣取引装置を構成しても良い。
【産業上の利用可能性】
【００５８】
本発明は、紙幣の記番号を判別し管理する種々の装置でも利用できる。
【符号の説明】
【００５９】
１……現金自動取引装置、２……筐体、３……接客部、４……カード入出口、５……入出金口、６……操作表示部、７……テンキー、８……レシート発行口、９……主制御部、１０……紙幣入出金機、１１……シャッタ、１２……制御部、１４……記憶部、１６……紙幣入出金部、１８……鑑別部、２０……一時保留部、２２……取忘れ庫、２４……搬送部、２６……リサイクル庫、２８……リジェクト庫、３０……記憶部、ＤＩＰ……取忘紙幣取込処理時ジャム発生表示画面。
【図１】
0006323201.tif 000002
【図２】
0006323201.tif 000003
【図３】
0006323201.tif 000004
【図４】
0006323201.tif 000005
【図５】
0006323201.tif 000006
【図６】
0006323201.tif 000007
【図７】
0006323201.tif 000008
【図８】
0006323201.tif 000009
【図９】
0006323201.tif 000010
【図１０】
0006323201.tif 000011
【図１１】
0006323201.tif 000012
【図１２】
0006323201.tif 000013